(57)【要約】【課題】機能が複雑になったり、入出力を複数同時に行う場合でも、効率的に制御を行うことができる画像処理装置、複数の要求モードが多重的に要求された場合、処理中の場合には、他の要求を待機させたり、何かの理由で次の要求が処理できない場合に、処理できる要求を優先的に処理することができる画像処理装置を提供する。【解決手段】入力された画像データを出力するまでに所定の画像処理を行う画像処理装置において、画像データに対して各々所定の画像処理を行う複数の画像処理手段と、画像処理の要求に基づいて、画像処理手段のうちで前記要求された画像処理を行うために必要な画像処理手段を組み合わせる組み合わせ手段と、組み合わせ手段による画像処理手段の取得及び解放を制御する取得・解放制御手段とを備える。【選択図】図１
2005190500.tif 000002
【特許請求の範囲】
【請求項１】
１つ或いは複数のディジタル画像入力手段と、
１つ或いは複数のディジタル画像出力手段と、
機能分割された多数の画像処理手段と、
要求モードにより前記画像処理手段を組み合わせる組み合わせ手段と、
組み合わされた前記画像処理手段の取得、解放を制御する取得・解放制御手段と、
複数の要求モードを蓄積し制御する蓄積制御手段と、
を備えたことを特徴とする画像処理装置。
【請求項２】
１つ或いは複数のディジタル画像入力手段と、
１つ或いは複数のディジタル画像出力手段と、
機能分割された多数の画像処理手段と、
機能分割された前記画像処理手段をグループ化して管理する管理手段と、
要求モードにより前記グループを組み合わせる組み合わせ手段と、
組み合わされた前記画像処理手段の取得、解放を制御する取得・解放制御手段と、
複数の要求モードを蓄積し制御する蓄積制御手段と、
を備えたことを特徴とする画像処理装置。
【請求項３】
１つ或いは複数のディジタル画像入力手段と、
１つ或いは複数のディジタル画像出力手段と、
機能分割された多数の画像処理手段と、
機能分割された前記画像処理手段を各入出力単位に管理する管理手段と、
要求モードにより前記管理手段を組み合わせる組み合わせ手段と、
組み合わされた前記画像処理手段の取得、解放を制御する取得・解放制御手段と、
複数の要求モードを蓄積し制御する蓄積制御手段と、
を備えたことを特徴とする画像処理装置。
【請求項４】
１つ或いは複数のディジタル画像入力手段と、
１つ或いは複数のディジタル画像出力手段と、
機能分割された画像蓄積手段と、
要求モードにより前記画像蓄積手段を組み合わせる組み合わせ手段と、
を備えたことを特徴とする画像処理装置。
【請求項５】
１つ或いは複数のディジタル画像入力手段と、
１つ或いは複数のディジタル画像出力手段と、
機能分割された画像蓄積手段と、
機能分割された前記画像蓄積手段をグループ化して管理する管理手段と、
要求モードにより前記グループを組み合わせる組み合わせ手段と、
を備えたことを特徴とする画像処理装置。
【請求項６】
１つ或いは複数のディジタル画像入力手段と、
１つ或いは複数のディジタル画像出力手段と、
機能分割された画像蓄積手段と、
機能分割された前記画像蓄積手段を各入出力単位に管理する管理手段と、
要求モードにより前記管理手段を組み合わせる組み合わせ手段と、
を備えたことを特徴とする画像処理装置。
【発明の詳細な説明】
【技術分野】
【０００１】
本発明は、ディジタル複写機の画像処理装置に関する。
【背景技術】
【０００２】
ディジタル複写機は、例えば特許文献１に示されるように、入力系、シェーディング補正回路、位置ずれ補正回路、ＭＴＦ補正回路、変倍回路、γ補正回路、色補正回路、階調処理回路、出力系など、多岐にわたる画像処理手段を有しており、それらの画像処理機能を組み合わせて複雑な機能を実現している。特に、近年では複数の画像蓄積機能が付加され、複雑さが増している。しかし、入力系や出力系が複数になり、また蓄積機能も複雑になり、それぞれ独立に機能を要求された場合、従来の順序型の構成では対応できないようになっている。
【０００３】
【特許文献１】特開平２−６７０７６号公報
【発明の開示】
【発明が解決しようとする課題】
【０００４】
図７は複数の画像処理部が順序型に接続される一般的な画像処理装置の一例を示すブロック図である。図に示すように、スキャナ１、画像処理Ａを行う第１の画像処理部２、画像処理Ｂを行う第２の画像処理部３、画像処理Ｃを行う第３の画像処理部４、画像処理Ｄを行う第４の画像処理部５、プリンタ８が順に並んでおり、かつ、第２の画像処理部３と第３の画像処理部４の間に図のように、外部出力部６と外部入力部７がある。このような構成による順序型の制御では、機能が複雑になった場合、或いは入出力を複数同時に行う場合、機能上の制約が発生する。
【０００５】
図８は機能の処理順序を変更する場合のブロック図、図９は同時に複数の入出力を行う場合のブロック図、図１０は出力を２種類行う場合のブロック図である。画像処理Ｂと画像処理Ａを逆にする場合、第２の画像処理部３に外部入力を行う場合、第３の画像処理部４から２種類の出力を行う場合を、図８、図９、図１０に示しているが、このような機能を図７に示す従来装置では達成することができない。
【０００６】
図１１は複数の画像処理部が順序型に接続される一般的な画像処理装置の他の例を示すブロック図である。図１１には、図７に示す装置の他に、蓄積処理Ａを行う第１の蓄積処理部９−１、蓄積処理Ｂを行う第２の蓄積処理部９−２が示されている。なお、蓄積処理部９はこの２つとは限らない。例えば図１３、図１４には４つの蓄積処理部９−１〜９−４が示されている。図１１の装置においても、図７と同様に、機能が複雑になった場合、或いは入出力を複数同時に行う場合、機能上の制約が発生する。
【０００７】
図１２は蓄積処理ＡとＢを逆にした場合のブロック図、図１３は第１の蓄積処理部９−１〜第２、第３の蓄積処理部９−２と９−３に同時に出力する場合のブロック図、図１４は第１の蓄積処理部９−１に第３の蓄積処理部９−３からも入力が行われる場合のブロック図である。このような機能も図１１に示す従来装置では達成することが出来なかった。
【０００８】
そこで本発明は、機能が複雑になったり、入出力を複数同時に行う場合でも、効率的に制御を行うことができる画像処理装置を提供することを目的とする。特に、複数の要求モードが多重的に要求された場合、処理中の場合には、他の要求を待機させたり、何かの理由で次の要求が処理できない場合に、処理できる要求を優先的に処理することができる画像処理装置を提供することを目的とする。
【課題を解決するための手段】
【０００９】
上記目的を達成するために、請求項１記載の発明は、１つ或いは複数のディジタル画像入力手段と、１つ或いは複数のディジタル画像出力手段と、機能分割された多数の画像処理手段と、要求モードにより前記画像処理手段を組み合わせる組み合わせ手段と、組み合わされた前記画像処理手段の取得、解放を制御する取得・解放制御手段と、複数の要求モードを蓄積し制御する蓄積制御手段と、を備えたことを特徴とするものである。
【００１０】
また上記目的を達成するために、請求項２記載の発明は、１つ或いは複数のディジタル画像入力手段と、１つ或いは複数のディジタル画像出力手段と、機能分割された多数の画像処理手段と、機能分割された前記画像処理手段をグループ化して管理する管理手段と、要求モードにより前記グループを組み合わせる組み合わせ手段と、組み合わされた前記画像処理手段の取得、解放を制御する取得・解放制御手段と、複数の要求モードを蓄積し制御する蓄積制御手段と、を備えたことを特徴とするものである。
【００１１】
また上記目的を達成するために、請求項３記載の発明は、１つ或いは複数のディジタル画像入力手段と、１つ或いは複数のディジタル画像出力手段と、機能分割された多数の画像処理手段と、機能分割された前記画像処理手段を各入出力単位に管理する管理手段と、要求モードにより前記管理手段を組み合わせる組み合わせ手段と、組み合わされた前記画像処理手段の取得、解放を制御する取得・解放制御手段と、複数の要求モードを蓄積し制御する蓄積制御手段と、を備えたことを特徴とするものである。
【００１２】
また上記目的を達成するために、請求項４記載の発明は、１つ或いは複数のディジタル画像入力手段と、１つ或いは複数のディジタル画像出力手段と、機能分割された画像蓄積手段と、要求モードにより前記画像蓄積手段を組み合わせる組み合わせ手段と、を備えたことを特徴とするものである。
【００１３】
また上記目的を達成するために、請求項５記載の発明は、１つ或いは複数のディジタル画像入力手段と、１つ或いは複数のディジタル画像出力手段と、機能分割された画像蓄積手段と、機能分割された前記画像蓄積手段をグループ化して管理する管理手段と、要求モードにより前記グループを組み合わせる組み合わせ手段と、を備えたことを特徴とするものである。
【００１４】
また上記目的を達成するために、請求項６記載の発明は、１つ或いは複数のディジタル画像入力手段と、１つ或いは複数のディジタル画像出力手段と、機能分割された画像蓄積手段と、機能分割された前記画像蓄積手段を各入出力単位に管理する管理手段と、要求モードにより前記管理手段を組み合わせる組み合わせ手段と、を備えたことを特徴とするものである。
【発明の効果】
【００１５】
請求項１記載の発明によれば、順序型の制御ではなく、機能分割された画像処理手段を組み合わせた制御であるため、機能が複雑になった場合や、入出力を複数同時に行う場合にも、効率的に制御を行うことができる。また、複数の要求を蓄積し制御することができるので、最適な画像処理手段の利用による最適な画像処理を行うことができる。
【００１６】
請求項２記載の発明によれば、順序型の制御ではなく、機能分割された画像処理手段をグループ単位に組み合わせた制御であるため、機能が複雑になった場合や、入出力を複数同時に行う場合にも、効率的に制御を行うことができ、さらに簡単に利用、管理ができる。また、複数の要求を蓄積し制御することができるので、最適な画像処理手段グループの利用による最適な画像処理を行うことができる。
【００１７】
請求項３記載の発明によれば、順序型の制御ではなく、機能分割された画像処理手段を入出力単位に組み合わせた制御であるため、機能が複雑になった場合や、入出力を複数同時に行う場合にも、効率的に制御を行うことができる。また、複数の要求を蓄積し制御することができるので、最適な画像処理手段の利用による最適な画像処理を行うことができる。
【００１８】
請求項４記載の発明によれば、順序型の制御ではなく、機能分割された画像蓄積手段を組み合わせた制御であるため、機能が複雑になった場合や、入出力を複数同時に行う場合にも、効率的に制御を行うことができる。
【００１９】
請求項５記載の発明によれば、順序型の制御ではなく、機能分割された画像蓄積手段をグループ単位に組み合わせた制御であるため、機能が複雑になった場合や、入出力を複数同時に行う場合にも、効率的に制御を行うことができ、さらに簡単に利用、管理ができる。
【００２０】
請求項６記載の発明によれば、順序型の制御ではなく、機能分割された画像蓄積手段を入出力単位に組み合わせた制御であるため、機能が複雑になった場合や、入出力を複数同時に行う場合にも、効率的に制御を行うことができ、さらに、入出力単位で、接続、非接続の拡張性を保全したまま、画像蓄積手段を管理することができる。
【発明を実施するための最良の形態】
【００２１】
以下、本発明の実施の形態を添付図面を参照して説明する。図１は本発明の第１の実施の形態を示す画像処理装置のブロック図である。入力手段１１は３系統（１１−１，１１−２，１１−３）設けられ、出力手段１２は２系統（１２−１，１２−２）設けられている。画像処理部１３は、機能分割された画像処理手段１３−１〜１３−５を有する。また、要求に対する必要な画像処理手段の組み合わせを行う組み合わせ手段１４、組み合わされた画像処理手段１３−１〜１３−５の取得、解放を制御する取得・解放制御手段１５、複数の要求モードを蓄積し制御する蓄積制御手段１６を備える。
【００２２】
次にその動作を説明する。設定された要求モードにより、組み合わせ手段１４にて、必要な画像処理手段１３−１〜１３−５の組み立てを行う。例えば、入力手段１１−１からの入力画像を画像処理手段１３−１，１３−２で画像処理し、出力手段１２−１に出力するという要求により、画像処理手段１３−１，１３−２に対し、パラメータの設定を行い、画像信号を順番に流れるように画像パスを組み立てる。
【００２３】
取得・解放制御手段１５では、組み合わせ手段１４に対して、組み立てられた画像パス上に画像信号が流れていないときに設定を許可する。つまり、前回の要求が画像処理手段１３−１か１３−２を利用していた場合、その組み立てられた画像パス上を画像信号が流れ終わってから許可される。言い換えれば、流れ終わってから組み立てられた画像処理手段を解放する。
【００２４】
蓄積制御手段１６では、現在処理中の要求モード、次の要求モード、さらに次というように、複数の要求モードを蓄積している。そこで、例えば以下のような制御を行う。
１）ある要求モードが処理中の場合、次からの要求モードを蓄積する。
２）処理中でない場合、次に要求されているモードの取得を取得・解放制御手段１５に要求する。その場合、必要な画像処理手段が取得できた場合は、処理を開始する。但し、取得できない場合は、その次に要求されているモードの取得を要求する。
【００２５】
以上のように、要求に必要な画像処理手段にのみパラメータ設定を行い、また画像処理の処理順も要求により制御する。さらにその時点で最適に画像処理手段の取得を行うため、要求者に快適な画像処理装置を提供することができる。
【００２６】
図２は本発明の第２の実施の形態を示す画像処理装置のブロック図である。入力手段２１は３系統（２１−１，２１−２，２１−３）設けられ、出力手段２２は２系統（２２−１，２２−２）設けられている。画像処理部２３は、機能分割された画像処理手段２３−１〜２３−５を有する。また、管理を簡素化するため、図の点線のようにグループ化する。また、要求に対する必要な画像処理手段グループの管理、組み合わせを行う管理・組み合わせ手段２４、組み合わされた画像処理手段グループの取得、解放を制御する取得・解放制御手段２５、複数の要求モードを蓄積し制御する蓄積制御手段２６を備える。
【００２７】
次にその動作を説明する。設定された要求モードにより、組み合わせ手段２４にて、必要な画像処理手段グループの管理、組み立てを行う。例えば、入力手段２１−１からの入力画像に対してグループ１の画像処理を行い、出力手段２２−１に出力するという要求により、グループ１に属する画像処理手段２３−１，２３−２に対し、パラメータの設定を行い、グループ間の画像パスを組み立てる。
【００２８】
取得・解放制御手段２５では、管理・組み合わせ手段２４に対して、組み立てられた画像パス上に画像信号が流れていないときに設定を許可する。つまり、前回の要求がグループ１を利用していた場合、その組み立てられたグループ間の画像パス上を画像信号が流れ終わってから許可される。言い換えれば、流れ終わってから組み立てられた各グループの画像処理手段を解放する。
【００２９】
蓄積制御手段２６では、現在処理中の要求モード、次の要求モード、さらに次というように、複数の要求モードを蓄積している。そこで、例えば以下のような制御を行う。
１）ある要求モードが処理中の場合、次からの要求モードを蓄積する。
２）処理中でない場合、次に要求されているモードの取得を取得・解放制御手段２５に要求する。その場合、必要な画像処理手段グループが取得できた場合は、処理を開始する。但し、取得できない場合は、その次に要求されているモードの取得を要求する。
【００３０】
以上のように、要求に必要な画像処理手段グループにのみパラメータ設定を行い、またグループ間の接続も要求により制御する。さらにその時点で最適に画像処理手段グループの取得を行うため、要求者に快適な画像処理装置を提供することができる。
【００３１】
図３は本発明の第３の実施の形態を示す画像処理装置のブロック図である。入力手段３１は３系統（３１−１，３１−２，３１−３）設けられ、出力手段３２は２系統（３２−１，３２−２）設けられている。画像処理部３３は、機能分割された画像処理手段３３−１〜３３−５を有する。また、管理を簡素化するため、図の点線のように各入出力単位に管理する。また、要求に対する必要な各入出力単位の画像処理手段の管理、組み合わせを行う管理・組み合わせ手段３４、組み合わされた画像処理手段の取得、解放を制御する取得・解放制御手段３５、複数の要求モードを蓄積し制御する蓄積制御手段３６を備える。
【００３２】
次にその動作を説明する。設定された要求モードにより、管理・組み合わせ手段３４にて、必要な各入出力単位の画像処理手段の管理、組み立てを行う。例えば、入力手段３１−１からの入力画像に対して関連する画像処理を行い、出力手段３２−１に出力するという要求により、入力手段３１−１と出力手段３２−１の管理に属する画像処理手段３３−１，３３−４に対し、パラメータの設定を行い、入出力間の画像パスを組み立てる。
【００３３】
取得・解放制御手段３５では、管理・組み合わせ手段３４に対して、組み立てられた画像パス上に画像信号が流れていないときに設定を許可する。つまり、前回の要求が画像処理手段を利用していた場合、その組み立てられた画像パス上を画像信号が流れ終わってから許可される。言い換えれば、流れ終わってから組み立てられた画像処理手段を解放する。
【００３４】
蓄積制御手段３６では、現在処理中の要求モード、次の要求モード、さらに次というように、複数の要求モードを蓄積している。そこで、例えば以下のような制御を行う。
１）ある要求モードが処理中の場合、次からの要求モードを蓄積する。
２）処理中でない場合、次に要求されているモードの取得を取得・解放制御手段３５に要求する。その場合、必要な画像処理手段が取得できた場合は、処理を開始する。但し、取得できない場合は、その次に要求されているモードの取得を要求する。
【００３５】
以上のように、要求に必要な各入出力の管理する画像処理手段にのみパラメータ設定を行い、また各入出力間の接続も要求により制御する。さらにその時点で最適に画像処理手段の取得を行うため、要求者に快適な画像処理装置を提供することができる。
【００３６】
図４は本発明の第４の実施の形態を示す画像処理装置のブロック図である。入力手段４１は３系統（４１−１，４１−２，４１−３）設けられ、出力手段４２は２系統（４２−１，４２−２）設けられている。画像蓄積部４３は、機能分割された画像蓄積手段４３−１〜４３−４を有する。この画像蓄積手段４３−１〜４３−４は例えば一次記憶装置や二次記憶装置である。また、要求に対する必要な画像蓄積手段の組み合わせを行う組み合わせ手段４４を備える。
【００３７】
次にその動作を説明する。設定された要求モードにより、組み合わせ手段４４にて、必要な画像蓄積手段の組み立てを行う。例えば、入力手段４１−１からの入力画像を画像蓄積手段４３−１，４３−２に蓄積し、また画像蓄積手段４３−２に蓄積されている画像を画像蓄積手段４３−３から画像出力手段４２−１に出力するという要求により、画像蓄積の際に画像蓄積手段４３−１，４３−２に対し、パラメータの設定を行い、画像信号を前記順番に蓄積するように画像パスを組み立てる。また、蓄積画像の出力の際には、画像蓄積手段４３−２，４３−３に対し、パラメータの設定を行い、画像信号を前記順番に蓄積復帰するように画像パスを組み立てる。
【００３８】
以上のように、要求に対して必要な画像蓄積手段にのみパラメータ設定を行い、また、画像蓄積の処理順も要求に応じて制御する。
【００３９】
図５は本発明の第５の実施の形態を示す画像処理装置のブロック図である。入力手段５１は３系統（５１−１，５１−２，５１−３）設けられ、出力手段５２は２系統（５２−１，５２−２）設けられている。画像蓄積部５３は、機能分割された画像蓄積手段５３−１〜５３−４を有する。この画像蓄積手段５３−１〜５３−４は例えば一次記憶装置や二次記憶装置である。また、管理を簡素化するため、画像蓄積手段を図の点線のようにグループ化する。また、要求に対する必要な画像蓄積手段グループの管理、組み合わせを行う管理・組み合わせ手段５４を備える。
【００４０】
次にその動作を説明する。設定された要求モードにより、管理・組み合わせ手段５４にて、必要な画像蓄積手段グループの管理、組み立てを行う。例えば、入力手段５１−１からの入力画像をグループ１の画像蓄積手段５３−１，５３−２に蓄積し、画像出力手段５２−１に出力するという要求により、グループ１に属する画像蓄積手段５３−１，５３−２に対し、パラメータの設定を行い、グループ間の画像パスを組み立てる。以上のように、要求に対して必要な画像蓄積手段グループにのみパラメータ設定を行い、また、グループ間の接続も要求に応じて制御する。
【００４１】
図６は本発明の第６の実施の形態を示す画像処理装置のブロック図である。入力手段６１は３系統（６１−１，６１−２，６１−３）設けられ、出力手段６２は２系統（６２−１，６２−２）設けられている。画像蓄積部６３は、機能分割された画像蓄積手段６３−１〜６３−４を有する。この画像蓄積手段６３−１〜６３−４は例えば一次記憶装置や二次記憶装置である。また、管理を簡素化するため、図の点線のように各入出力単位に管理する。また、要求に対する必要な各入出力単位の画像蓄積手段の管理、組み合わせを行う管理・組み合わせ手段６４を備える。
【００４２】
次にその動作を説明する。設定された要求モードにより、管理・組み合わせ手段６４にて、必要な各入出力単位の画像蓄積手段の管理、組み立てを行う。例えば、入力手段６１−１からの入力画像を、関連する画像蓄積手段に蓄積し、画像出力手段６２−１に出力するという要求により、画像入力手段６１−１と画像出力手段６２−１の管理に属する画像蓄積手段６３−１と６３−４に対し、パラメータの設定を行い、入出力間の画像パスを組み立てる。以上のように、要求に対して、必要な各入出力手段が管理する画像蓄積手段にのみパラメータ設定を行い、また、各入出力間の接続も要求に応じて制御する。
【図面の簡単な説明】
【００４３】
【図１】本発明の第１の実施の形態を示す画像処理装置のブロック図である。
【図２】本発明の第２の実施の形態を示す画像処理装置のブロック図である。
【図３】本発明の第３の実施の形態を示す画像処理装置のブロック図である。
【図４】本発明の第４の実施の形態を示す画像処理装置のブロック図である。
【図５】本発明の第５の実施の形態を示す画像処理装置のブロック図である。
【図６】本発明の第６の実施の形態を示す画像処理装置のブロック図である。
【図７】複数の画像処理手段が順序型に接続される一般的な画像処理装置の一例を示すブロック図である。
【図８】機能の処理順を変更する場合のブロック図である。
【図９】複数の入出力を行う場合のブロック図である。
【図１０】出力を２種類行う場合のブロック図である。
【図１１】複数の画像処理手段が順序型に接続される一般的な画像処理装置の他の例を示すブロック図である。
【図１２】蓄積処理ＡとＢを逆にした場合のブロック図である。
【図１３】第１の蓄積処理部から第２、第３の蓄積処理部に同時に出力する場合のブロック図である。
【図１４】第１の蓄積処理部に第３の蓄積処理部から入力が行われる場合のブロック図である。
【符号の説明】
【００４４】
１１  入力手段
１２  出力手段
１３  画像処理部
１３−１〜１３−５  画像処理手段
１４  組み合わせ手段
１５  取得・解放制御手段
１６  蓄積制御手段
２１  入力手段
２２  出力手段
２３  画像処理部
２３−１〜２３−５  画像処理手段
２４  管理・組み合わせ手段
２５  取得・解放制御手段
２６  蓄積制御手段
３１  入力手段
３２  出力手段
３３  画像処理部
３３−１〜３３−５  画像処理手段
３４  管理・組み合わせ手段
３５  取得・解放制御手段
３６  蓄積制御手段
４１  入力手段
４２  出力手段
４３  画像蓄積部
４３−１〜４３−４  画像蓄積手段
４４  組み合わせ手段
５１  入力手段
５２  出力手段
５３  画像蓄積部
５３−１〜５３−４  画像蓄積手段
５４  管理・組み合わせ手段
６１  入力手段
６２  出力手段
６３  画像蓄積部
６３−１〜６３−４  画像蓄積手段
６４  管理・組み合わせ手段
【図１】
2005190500.tif 000003
【図２】
2005190500.tif 000004
【図３】
2005190500.tif 000005
【図４】
2005190500.tif 000006
【図５】
2005190500.tif 000007
【図６】
2005190500.tif 000008
【図７】
2005190500.tif 000009
【図８】
2005190500.tif 000010
【図９】
2005190500.tif 000011
【図１０】
2005190500.tif 000012
【図１１】
2005190500.tif 000013
【図１２】
2005190500.tif 000014
【図１３】
2005190500.tif 000015
【図１４】
2005190500.tif 000016
【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
入力された画像データに対して所定の画像処理を行う画像処理装置において、
前記入力された画像データに対して各々所定の画像処理を行う複数の画像処理手段と、
前記複数の画像処理手段のうちで所定の使用する画像処理手段を組み合わせる画像処理用組合手段と、
外部からの要求に基づいた画像処理を行うために、前記画像処理用組合手段が組み合わせる所定の画像処理手段を取得すると共に、この取得した所定の画像処理手段により前記要求に基づいた画像処理が終了すると、前記組み合わされている所定の画像処理手段を解放する取得・解放制御手段とを有し、更に、
前記取得・解放制御手段は、前記外部からの要求に基づいた画像処理が、前記取得中の画像処理手段以外の残りの画像処理手段の組み合わせによって実行可能であるか否かを判断し、実行可能であると判断した場合には、前記画像処理用組合手段により組み合わせる所定の新たな画像処理手段を取得することを特徴とする画像処理装置。
【請求項２】
請求項１に記載の画像処理装置であって、更に、
前記外部からの要求に係るモードを蓄積する蓄積制御手段を有し、
前記取得・解放制御手段は、前記画像処理用組合手段が組み合わせる所定の画像処理手段を取得するにあたって、前記蓄積制御手段に蓄積されているモードを順次取得可能であると共に、当該取得したモードに係る要求に基づいた画像処理が前記残りの画像処理手段の組み合わせによって実行可能でないと判断した場合には、前記蓄積制御手段に蓄積されている次の要求に係るモードを取得し当該取得したモードに係る要求に基づいた画像処理が前記残りの画像処理手段の組み合わせによって実行可能であるか否かを判断することを特徴とする画像処理装置。
【請求項３】
前記画像処理用組合手段による画像処理手段の組み合わせ処理は、使用する画像処理手段に対して、パラメータの設定を行うと共に、画像処理の処理順を構築することを特徴とする請求項１又は２に記載の画像処理装置。
【請求項４】
前記複数の画像処理手段のうちで所定の画像処理手段から成るグループにまとめ、前記画像処理用組合手段が、前記グループ単位で組み合わせを行うことを特徴とする請求項１乃至３の何れか一項に記載の画像処理装置。
【請求項５】
前記複数の各々の画像処理手段を画像データの入出力単位として扱い、前記画像処理用組合手段が、前記入出力単位で組み合わせを行うことを特徴とする請求項１乃至３の何れか一項に記載の画像処理装置。
【請求項６】
入力された画像データの蓄積処理を行う画像処理装置において、
前記入力された画像データに対して各々所定の蓄積処理を行う複数の画像蓄積手段と、
外部からの要求に基づいた蓄積処理を行うために、当該蓄積処理に使用する画像蓄積手段に対して、パラメータの設定を行うと共に、蓄積処理の処理順を構築する蓄積処理用組合手段とを有することを特徴とする画像処理装置。
【請求項７】
前記複数の画像蓄積手段のうちで所定の画像蓄積手段から成るグループにまとめ、前記蓄積処理用組合手段が、前記グループ単位で組み合わせを行うことを特徴とする請求項６に記載の画像処理装置。
【請求項８】
前記複数の各々の画像蓄積手段を画像データの入出力単位として扱い、前記蓄積処理用組合手段が、前記入出力単位で組み合わせを行うことを特徴とする請求項６に記載の画像処理装置。
【手続補正２】
【補正対象書類名】明細書
【補正対象項目名】０００９
【補正方法】変更
【補正の内容】
【０００９】
上記目的を達成するために、請求項１記載の発明は、入力された画像データに対して所定の画像処理を行う画像処理装置において、前記入力された画像データに対して各々所定の画像処理を行う複数の画像処理手段と、前記複数の画像処理手段のうちで所定の使用する画像処理手段を組み合わせる画像処理用組合手段と、外部からの要求に基づいた画像処理を行うために、前記画像処理用組合手段が組み合わせる所定の画像処理手段を取得すると共に、この取得した所定の画像処理手段により前記要求に基づいた画像処理が終了すると、前記組み合わされている所定の画像処理手段を解放する取得・解放制御手段とを有し、更に、前記取得・解放制御手段は、前記外部からの要求に基づいた画像処理が、前記取得中の画像処理手段以外の残りの画像処理手段の組み合わせによって実行可能であるか否かを判断し、実行可能であると判断した場合には、前記画像処理用組合手段により組み合わせる所定の新たな画像処理手段を取得することを特徴とするものである。
【手続補正３】
【補正対象書類名】明細書
【補正対象項目名】００１０
【補正方法】変更
【補正の内容】
【００１０】
また上記目的を達成するために、請求項２記載の発明は、請求項１に記載の画像処理装置であって、更に、前記外部からの要求に係るモードを蓄積する蓄積制御手段を有し、前記取得・解放制御手段は、前記画像処理用組合手段が組み合わせる所定の画像処理手段を取得するにあたって、前記蓄積制御手段に蓄積されているモードを順次取得可能であると共に、当該取得したモードに係る要求に基づいた画像処理が前記残りの画像処理手段の組み合わせによって実行可能でないと判断した場合には、前記蓄積制御手段に蓄積されている次の要求に係るモードを取得し当該取得したモードに係る要求に基づいた画像処理が前記残りの画像処理手段の組み合わせによって実行可能であるか否かを判断することを特徴とするものである。
【手続補正４】
【補正対象書類名】明細書
【補正対象項目名】００１１
【補正方法】変更
【補正の内容】
【００１１】
また上記目的を達成するために、請求項３記載の発明は、請求項１又は２に記載の画像処理装置において、前記画像処理用組合手段による画像処理手段の組み合わせ処理は、使用する画像処理手段に対して、パラメータの設定を行うと共に、画像処理の処理順を構築することを特徴とするものである。また、請求項４記載の発明は、請求項１乃至３の何れか一項に記載の画像処理装置において、前記複数の画像処理手段のうちで所定の画像処理手段から成るグループにまとめ、前記画像処理用組合手段が、前記グループ単位で組み合わせを行うことを特徴とするものである。また、請求項５記載の発明は、請求項１乃至３の何れか一項に記載の画像処理装置において、前記複数の各々の画像処理手段を画像データの入出力単位として扱い、前記画像処理用組合手段が、前記入出力単位で組み合わせを行うことを特徴とするものである。
【手続補正５】
【補正対象書類名】明細書
【補正対象項目名】００１２
【補正方法】変更
【補正の内容】
【００１２】
また上記目的を達成するために、請求項６記載の発明は、入力された画像データの蓄積処理を行う画像処理装置において、前記入力された画像データに対して各々所定の蓄積処理を行う複数の画像蓄積手段と、外部からの要求に基づいた蓄積処理を行うために、当該蓄積処理に使用する画像蓄積手段に対して、パラメータの設定を行うと共に、蓄積処理の処理順を構築する蓄積処理用組合手段とを有することを特徴とするものである。
【手続補正６】
【補正対象書類名】明細書
【補正対象項目名】００１３
【補正方法】変更
【補正の内容】
【００１３】
また上記目的を達成するために、請求項７記載の発明は、請求項６に記載の画像処理装置において前記複数の画像蓄積手段のうちで所定の画像蓄積手段から成るグループにまとめ、前記蓄積処理用組合手段が、前記グループ単位で組み合わせを行うことを特徴とするものである。
【手続補正７】
【補正対象書類名】明細書
【補正対象項目名】００１４
【補正方法】変更
【補正の内容】
【００１４】
また上記目的を達成するために、請求項８記載の発明は、請求項６に記載の画像処理装置において前記複数の各々の画像蓄積手段を画像データの入出力単位として扱い、前記蓄積処理用組合手段が、前記入出力単位で組み合わせを行うことを特徴とするものである。
【手続補正８】
【補正対象書類名】明細書
【補正対象項目名】００１５
【補正方法】変更
【補正の内容】
【００１５】
請求項１、請求項２、請求項３記載の発明によれば、順序型の制御ではなく、機能分割された画像処理手段を組み合わせた制御であるため、機能が複雑になった場合や、入出力を複数同時に行う場合にも、効率的に制御を行うことができる。また、複数の要求を蓄積し制御することができるので、最適な画像処理手段の利用による最適な画像処理を行うことができる。
【手続補正９】
【補正対象書類名】明細書
【補正対象項目名】００１６
【補正方法】変更
【補正の内容】
【００１６】
請求項４記載の発明によれば、順序型の制御ではなく、機能分割された画像処理手段をグループ単位に組み合わせた制御であるため、機能が複雑になった場合や、入出力を複数同時に行う場合にも、効率的に制御を行うことができ、さらに簡単に利用、管理ができる。また、複数の要求を蓄積し制御することができるので、最適な画像処理手段グループの利用による最適な画像処理を行うことができる。
【手続補正１０】
【補正対象書類名】明細書
【補正対象項目名】００１７
【補正方法】変更
【補正の内容】
【００１７】
請求項５記載の発明によれば、順序型の制御ではなく、機能分割された画像処理手段を入出力単位に組み合わせた制御であるため、機能が複雑になった場合や、入出力を複数同時に行う場合にも、効率的に制御を行うことができる。また、複数の要求を蓄積し制御することができるので、最適な画像処理手段の利用による最適な画像処理を行うことができる。
【手続補正１１】
【補正対象書類名】明細書
【補正対象項目名】００１８
【補正方法】変更
【補正の内容】
【００１８】
請求項６記載の発明によれば、順序型の制御ではなく、機能分割された画像蓄積手段を組み合わせた制御であるため、機能が複雑になった場合や、入出力を複数同時に行う場合にも、効率的に制御を行うことができる。
【手続補正１２】
【補正対象書類名】明細書
【補正対象項目名】００１９
【補正方法】変更
【補正の内容】
【００１９】
請求項７記載の発明によれば、順序型の制御ではなく、機能分割された画像蓄積手段をグループ単位に組み合わせた制御であるため、機能が複雑になった場合や、入出力を複数同時に行う場合にも、効率的に制御を行うことができ、さらに簡単に利用、管理ができる。
【手続補正１３】
【補正対象書類名】明細書
【補正対象項目名】００２０
【補正方法】変更
【補正の内容】
【００２０】
請求項８記載の発明によれば、順序型の制御ではなく、機能分割された画像蓄積手段を入出力単位に組み合わせた制御であるため、機能が複雑になった場合や、入出力を複数同時に行う場合にも、効率的に制御を行うことができ、さらに、入出力単位で、接続、非接続の拡張性を保全したまま、画像蓄積手段を管理することができる。
【手続補正１４】
【補正対象書類名】明細書
【補正対象項目名】００２１
【補正方法】変更
【補正の内容】
【００２１】
以下、本発明の実施の形態を添付図面を参照して説明する。図１は本発明の第１の実施の形態を示す画像処理装置のブロック図である。入力手段１１は３系統（１１−１，１１−２，１１−３）設けられ、出力手段１２は２系統（１２−１，１２−２）設けられている。画像処理部１３は、機能分割された画像処理手段１３−１〜１３−５を有する。また、要求に対する必要な画像処理手段の組み合わせを行う画像処理用組合手段（以下単に組み合わせ手段と記す）１４、組み合わされた画像処理手段１３−１〜１３−５の取得、解放を制御する取得・解放制御手段１５、複数の要求モードを蓄積し制御する蓄積制御手段１６を備える。
【手続補正１５】
【補正対象書類名】明細書
【補正対象項目名】００３６
【補正方法】変更
【補正の内容】
【００３６】
図４は本発明の第４の実施の形態を示す画像処理装置のブロック図である。入力手段４１は３系統（４１−１，４１−２，４１−３）設けられ、出力手段４２は２系統（４２−１，４２−２）設けられている。画像蓄積部４３は、複数の画像蓄積手段４３−１〜４３−４を有する。この画像蓄積手段４３−１〜４３−４は例えば速度に応じて使いわけられた一次記憶装置や二次記憶装置である。また、要求に対する必要な画像蓄積手段の組み合わせを行う組み合わせ手段４４を備える。
【手続補正１６】
【補正対象書類名】明細書
【補正対象項目名】００３９
【補正方法】変更
【補正の内容】
【００３９】
図５は本発明の第５の実施の形態を示す画像処理装置のブロック図である。入力手段５１は３系統（５１−１，５１−２，５１−３）設けられ、出力手段５２は２系統（５２−１，５２−２）設けられている。画像蓄積部５３は、複数の画像蓄積手段５３−１〜５３−４を有する。この画像蓄積手段５３−１〜５３−４は例えば一次記憶装置や二次記憶装置である。また、管理を簡素化するため、画像蓄積手段を図の点線のようにグループ化する。また、要求に対する必要な画像蓄積手段グループの管理、組み合わせを行う管理・組み合わせ手段５４を備える。
【手続補正１７】
【補正対象書類名】明細書
【補正対象項目名】００４１
【補正方法】変更
【補正の内容】
【００４１】
図６は本発明の第６の実施の形態を示す画像処理装置のブロック図である。入力手段６１は３系統（６１−１，６１−２，６１−３）設けられ、出力手段６２は２系統（６２−１，６２−２）設けられている。画像蓄積部６３は、複数の画像蓄積手段６３−１〜６３−４を有する。この画像蓄積手段６３−１〜６３−４は例えば一次記憶装置や二次記憶装置である。また、管理を簡素化するため、図の点線のように各入出力単位に管理する（グループ化）。また、要求に対する必要な各入出力単位の画像蓄積手段グループの管理、組み合わせを行う管理・組み合わせ手段６４を備える。
【手続補正１８】
【補正対象書類名】明細書
【補正対象項目名】００４２
【補正方法】変更
【補正の内容】
【００４２】
次にその動作を説明する。設定された要求モードにより、管理・組み合わせ手段６４にて、必要な各入出力単位の画像蓄積手段の管理、組み立てを行う。例えば、入力手段６１−１からの入力画像を、関連する画像蓄積手段に蓄積し、画像出力手段６２−１に出力するという要求により、画像入力手段６１−１と画像出力手段６２−１の管理に属する画像蓄積手段６３−１と６３−４に対し、パラメータの設定を行い、入出力間の画像パスを組み立てる。以上のように、要求に対して、必要な各入出力単位に管理する画像蓄積手段にのみパラメータ設定を行い、また、各入出力間の接続も要求に応じて制御する。